(57)【要約】      （修正有）【課題】一つの飼育・観察装置の中でカブトムシ等の甲虫類の生態をつぶさに観察できるとともに、幼虫から成虫になるときに飼育環境の切り替えを容易にできる甲虫類の飼育・観察装置を提供する。【解決手段】少なくとも側面が透明な材料で形成された飼育ケース１内に透明な材料で形成された観察室９を配置し、保持手段１１によって保持する。観察室９は甲虫類の幼虫の観察可能な幅とし、幼虫の成長過程を飼育ケース１の外部から表裏共、くまなく観察できる。又、甲虫類が成虫になった時は観察室９を引き抜き、成虫の飼育環境に容易に切り替えることができる。【選択図】図２
0003208272.tif 000002
【実用新案登録請求の範囲】
【請求項１】
少なくとも側面が透明な材料で形成され甲虫類を飼育可能な広さを有する飼育ケースと、上記飼育ケース内に挿入・配置され透明な材料で形成されるとともに甲虫類の幼虫を観察可能な幅を有し上下に貫通された筒状の観察室と、上記観察室を飼育ケース内で倒れないように保持する保持手段と、を具備し、上記観察室内を飼育ケースの外部から観察できるように構成したことを特徴とする甲虫類の飼育・観察装置。
【考案の詳細な説明】
【発明の詳細な説明】
【産業上の利用分野】
【０００１】  本発明は、甲虫類、例えばカブトムシの飼育・観察装置に係り、特に、幼虫から成虫までの飼育・観察を一貫して容易にできるようにしたものに関する。
【背景技術】
【０００２】  近時、学校等では自然観察の一環として甲虫類、例えばカブトムシを飼育し、その生態を観察する教育が行われている。カブトムシの場合は、幼虫から成虫になるまでの一定期間を飼育しながら観察する。カブトムシの幼虫は堆肥の中でほとんど動かずに堆肥自体を餌として成長し、やがて脱皮してサナギとなる。そして、さらにサナギから脱皮して成虫になると、堆肥の中からはい出してきて活発に活動するものである。【０００３】  このような甲虫類の飼育・観察する装置としては、従来飼育ケースが使用されている。上記飼育ケースは、側面部が透明な材料で形成されカブトムシの成虫を飼育可能な広さを有する有蓋の箱体であり、このものを使用するにあたっては、まず、上記飼育ケース内に充分な堆肥を入れ、堆肥の中に数匹のカブトムシの幼虫を入れて飼育・観察する。又、カブトムシが成虫になった時は、飼育ケースの底に堆肥を敷き上部を空間として、ここにとまり木や餌を入れて飼育・観察するものである。【０００４】
【先行技術文献】
【特許文献】
【０００５】
【特許文献１】特開２０１２−０１６３１２
【特許文献２】特開２００３−１０２３３４
【特許文献１の背景技術】
特開２０１２−０１６３１２は、従来の箱型の透明ケース本体の底面から下に突出した凸を有するケース（２）の飼育観察ケースを提供する。さらに、飼育観察ケース（２）に凹の形をした断熱効果と光を遮断できる物質で出来た容器を組み合わせて、大型のカブト虫の長期期間の飼育と観察を可能にする。としている。
【発明が解決しようとする課題】
【０００６】  上記従来の構成によると次のような問題があった。まず、従来の飼育ケースはカブトムシの幼虫の生態を観察できないという問題があった。これは、カブトムシの幼虫が暗い場所を好む性質があることから堆肥の内部に入り込んで巣を作るため、飼育ケースの外部から巣の中を観察することができないからである。又、仮りにケースの壁面に接して巣を作った場合でも、巣の一面だけしか見ることができず充分な観察ができないものであった。
【０００７】  又、幼虫がサナギから成虫になるのを観察することも困難であるので、堆肥を取り除き飼育ケースの底面に堆肥を敷き詰める時期もわからないので的確に対応できず、又、飼育ケースから堆肥を取り出して成虫の飼育に適した環境にする等の切り替え作業が面倒であるという問題があった。
【０００８】  本発明はこのような点に基づいてなされたものでその目的とするところは、一つの飼育・観察装置の中でカブトムシの生態をつぶさに観察できるとともに、幼虫から成虫になったときに飼育環境の切り替えを容易にできる甲虫類の飼育・観察装置を提供することにある。
【課題を解決するための手段】
【０００９】  上記目的を達成するべく本願発明による甲虫類の飼育・観察装置は、少なくとも側面が透明な材料で形成され甲虫類を飼育可能な広さを有する飼育ケースと、上記飼育ケース内に挿入・配置され透明な材料で形成されるとともに甲虫類の幼虫を観察可能な幅を有し上下に貫通された筒状の観察室と、上記観察室を飼育ケース内で倒れないように保持する保持手段と、を具備し、上記観察室内を飼育ケースの外部から観察できるように構成したことを特徴とするものである。
【作用】
【００１０】  まず、少なくとも側面が透明な材料で形成された飼育ケース内に透明な材料で形成された観察室を挿入・配置する。観察室は保持手段によって飼育ケース内で自立している。この観察室内に堆肥を入れるとともに、カブトムシの幼虫を数匹入れる。観察室はカブトムシの幼虫の観察可能な幅を有しているので、幼虫の成長過程を飼育ケースの外部から表裏共、くまなく観察することができる。
【００１１】  そして、カブトムシが成虫になった時は観察室が上下に貫通されているので、このものを飼育ケースから引き抜くことができ、これによって観察室内に堆肥のみが残るので、これを崩して飼育ケースの底に拡散させれば成虫の飼育環境に容易に切り替えることができる。又、成虫が卵を生んで死んでしまった後は、卵の入った堆肥を再度飼育ケース内に配置した観察室内に入れるだけで、卵から幼虫になる過程を観察することができる。
【実施例】
【００１２】  以下、図１乃至図６を参照して本発明の第１実施例を説明する。図１は本発明に係る甲虫類の飼育・観察装置の分解斜視図を示すものである。甲虫類とは、カブトムシの他、クワガタムシ、カミキリムシ、コガネムシ等を指称するが、ここではカブトムシを例にとって説明する。飼育ケース１は全体が合成樹脂等の透明な材料で形成されておりケース本体３と蓋体５とより構成されている。尚、飼育ケース１は少なくとも側面が透明に形成されていれば充分であり、市販されているものを使用することもできる。【００１３】  上記ケース本体３は上部か開口された有底の長方体状箱体であり、上端には後述する蓋体５の嵌合凹部５Ａと嵌合して両者を一体化する嵌合凸部３Ａが形成されている。一方、上記蓋体５は上記ケース本体３の開口に被冠されるものであり、やはり透明な材料で形成されているが、かならずしも透明である必要はない。その表面には通気孔７が多数穿設されているとともに、下部には上記嵌合凸部３Ａと嵌合する嵌合凹部５Ａが形成されている。【００１４】  観察室９は上記飼育ケース１の内部に挿入・配置されるものであり、保持手段１１により飼育ケース１内に保持される。図１に示す観察室９はほぼ矩形状に形成された長短２枚ずつの透明な板体１３にスリット１５を形成し、スリット１５にてはめあわせて井桁状に組み合わせ、井桁の内部を観察室９とするとともに、井桁の外部を保持手段１１としたものである。すなわち、板体１３は飼育ケース１のケース本体３の深さとほぼ同じ高さに形成されるとともに、幅と長さは、各々ケース本体３と略同一の幅と長さに形成され、ケース本体３の内部にぴったり納まるように形成されている。【００１５】  観察室９の幅Ｗは、カブトムシの幼虫１７Ａの観察を可能とする幅に設定される。すなわち、カブトムシの幼虫１７Ａが作る巣１８の大きさを考慮して表裏から巣１８の内部が観察できる幅とするものであって、通常この幅Ｗは３〜４センチメートルの範囲で決定され、好ましくは３．７センチメートルとする。観察室９の高さはケース本体３の深さと長さに合わせて決定されるが、これは任意である。【００１６】  又、図２に示すように、観察室９にはその内部を暗くするために遮蔽部材１９を被覆する。遮蔽部材１９は断面コ字状の板体の内部を黒色に塗ったものであり、必要に応じて上方へ引き上げ可能に形成されている。又、図２に示すように、井桁の上部の板体１３が交叉する部分には、図３に示すような十字状溝２３を刻設した固定部材２１を使用し、その十字状溝２３を板体１３の交叉する部分にはめ込んで板体１３同士がずれないように固定することができる。尚、板体１３同士がずれないようにする手段としては図４〜５に示すように、短い板体１３Ａの上側スリット１５Ａの上端部を外側に湾曲させてフラップ１６を形成し、一方、長い板体１３Ｂの下側スリット１５Ｂは直線状とするとともに、上記フラップ１６に対応する部分に上端より直線状の上部スリット１５Ｃを形成し、図５に示すように、上側スリット１５Ａと下側スリット１５Ｂとをはめ込んで井桁を形成し、フラップ１６を上部スリット１５Ｃにはめ込んで板体１３同士が交叉する部分をずれないように構成することもできる。【００１７��  以上の構成を基にその作用を説明する。まず、図６に示すように、透明な材料で形成された飼育ケース１のケース本体３内に透明な材料で形成された観察室９を挿入・配置し、観察室９を保持手段１１によってケース本体３内で自立させる。この状態で観察室９内に堆肥２５を充分に入れるとともに、カブトムシの幼虫１７を数匹入れる。幼虫は堆肥２５のなかに入りこんで周囲の堆肥２５を餌として食べるとともに、糞をして体液と混ぜ巣１８を作る。このとき観察室９はその幅Ｗを、カブトムシの幼虫１７Ａが作る巣１７Ａの大きさを考慮して作られているので、一対の透明な板体１３の両表面に接して巣１８が形成され、よって、飼育ケース１の外部から観察室９内の巣１８を表裏共、くまなく観察することができる。【００１８】  又、カブトムシの幼虫１７Ａは周囲が暗い場所を好む性質を有するので、常時は観察室９に、内部を黒色に塗った遮蔽部材２３を被覆しておき、安心して巣を作れるようにしておく。そして、カブトムシの幼虫１７Ａの様子を観察するときはこの遮蔽部材２３を引き上げて、内部の様子を観察することになる。【００１９】  そして、カブトムシが脱皮して成虫１７Ｂになった時は、図７に示すように、観察室９が上下に貫通されているので、観察室９を飼育ケース１から引き抜く。これによって観察室９内には成虫１７Ｂとともに堆肥２５のみが残るので、この堆肥２５の形を崩して飼育ケース１の底面に拡散させてやれば、成虫１８Ｂの飼育環境が直ちにでき上がる。尚、観察室９を引き抜く場合、全体を同時に引き抜くこともできるし、板体１３を一枚ずつ引き抜くこともできる。後は、堆肥２５の上にとまり木２７や餌を入れれば成虫１７Ｂを飼育しながら観察ができる。【００２０】  さらに、成虫１７Ｂが卵を生んで死んでしまった場合は、図８に示すように、卵２９の入った堆肥２５を一旦飼育ケース１から別の容器に取り出し、再度飼育ケース１内に配置した観察室９内に入れる。これにより、今度は卵から幼虫になる過程を観察することができる。後は、上記の過程を繰り返すことにより、カブトムシを継続的に飼育・観察することになる。【００２１】  以上本実施例によると、次のような効果を奏することができる。まず、一つの飼育・観察装置でカブトムシの生態が全てわかる状態で飼育しながら、くまなく観察することができる。つまり、透明な飼育ケース１を通して透明な材料で形成された観察室９内を見ることができるとともに、観察室９はカブトムシの幼虫１７Ａの観察可能な幅に形成されているので、観察室９に入れた複数のカブトムシの幼虫１７Ａの全ての成長過程を飼育ケースの外部から表裏共、くまなく観察することができるからである。【００２２】  又、カブトムシが成虫１７Ｂになった時には、観察室９が上下に貫通されているので飼育ケース１から引き抜くことができ、これによって、必要なときに、飼育ケース１内に成虫１７Ｂの飼育環境を容易に切り替えることができる。又、成虫１７Ｂが卵を生んで死んでしまった後は、卵の入った堆肥２５を再度飼育ケース１内に配置した観察室９内に入れるだけで、卵から幼虫になる過程を観察することができる。【００２３】  又、本実施例の飼育・観察装置は透明な合成樹脂材料製の飼育ケース１と、板体１３を組み合わせて形成した観察室９及び保持手段１１と、堆肥２５と、で構成されているので、材料費が安く、又、板体１３を折り畳んで輸送することができるので輸送コストも低減され、安価に提供することができる。【００２４】  次に、図９を参照して本発明の第２実施例を説明する。この場合には第１実施例と同様、保持手段と兼用した観察室３１を、板体を井桁状に組み合わせて形成したものである。この場合、板体３３の長さ方向に複数に分割（図示のものは３分割）して観察室３１を複数に分割し、その各々に幼虫を入れるようにしたものである。この実施例の場合にも、前記第１実施例の場合と同様の作用・効果を奏することができる。【００２５】  次に、図１０を参照して本発明の第３実施例を説明する。この場合には、断面長円状をなし上下を貫通した筒体により観察室３５を形成し、この観察室３５の下部に飼育ケース１におけるケース本体３の底面とほぼ同一形状の板体を取り付けて、これを保持手段３７としたものである。この実施例の場合も、観察室を板体とすることにより折り畳んで輸送できる点を除き、上記第１実施例と同様の作用・効果を奏することができる。【００２６】  次に、図１１を参照して本発明の第４実施例を説明する。この場合には、飼育ケース１の底面に筒状の観察室３９をはめ込むことのできる保持部４１を形成し、これにより観察室３９を保持するようにしたものである。尚、この保持部４１は凹状とするほか、凸状としても良く、又、飼育ケース１の側面に形成されていても良い。この実施例の場合も、観察室を板体とすることにより折り畳んで輸送できる点を除き、上記第１実施例と同様の作用・効果を奏することができる。【００２７】  次に、図１２を参照して本発明の第５実施例を説明する。この場合には、飼育ケース１の底面に、複数（図示の場合は４枚）の板体４３を組み合わせることにより形成される観察室４５を保持するスリット状に凹陥した保持部４７を形成し、上記板体４３を保持部４７にはめ込むことにより、観察室４５を保持するようにしたものである。この場合は、板体４３を一枚ずつ保持部４７から引き抜くことになる。本実施例の場合にも、前記第１実施例の場合と同様の効果を奏することができる。【００２８】  尚、本発明は前記各実施例に限定されるものではない。例えば、観察室とその保持手段は、観察室が透明な材料で形成されており、所定の幅で、且つ、上下が貫通した状態で形成され、保持手段によって飼育ケース内に自立して保持されるように構成されていれば良いものであり、種々の態様が考えられる。又、上記実施例では甲虫類の飼育環境を形成するのに堆肥２５を使用したが、腐食土等を使用しても良い。
【発明の効果】
【００２９】  以上詳述したように本発明による甲虫類の飼育・観察装置によると、一つの飼育・観察装置で甲虫類の生態が全てわかる状態で飼育しながら、くまなく観察することができる。又、甲虫類が成虫になった時には、観察室が上下に貫通されているのでこれを飼育ケースから引き抜くことができ、必要なときに飼育ケース内を成虫の飼育環境に容器に切り替えることができる。そして、これにより甲虫類の飼育・観察が連続的に楽しく容易にできるものである。
【図面の簡単な説明】
【図１】本発明の第１実施例を示す図で飼育・観察装置の分解斜視図である。
【図２】本発明の第１実施例を示す図で飼育・観察装置の斜視図である。
【図３】本発明の第１実施例を示す図で固定部材の斜視図である。
【図４】本発明の第１実施例を示す図で他の板体の固定手段を示す説明図である。
【図５】本発明の第１実施例を示す図で他の板体の固定手段を示す斜視図である。
【図６】本発明の第１実施例を示す図で幼虫の飼育・観察の状態を示す断面図である。
【図７】本発明の第１実施例を示す図で成虫の飼育・観察の状態を示す断面図である。
【図８】本発明の第１実施例を示す図で卵の飼育・観察の状態を示す断面図である。
【図９】本発明の第２実施例を示す図で飼育・観察装置の斜視図である。
【図１０】本発明の第３実施例を示す図で飼育・観察装置の斜視図である。
【図１１】本発明の第４実施例を示す図で飼育・観察装置の斜視図である。
【図１２】本発明の第５実施例を示す図で飼育・観察装置の斜視図である。
【符号の説明】１  飼育ケース
３  ケース本体
５  蓋体
９  観察室
１１  保持手段
１７Ａ  カブトムシの幼虫
１７Ｂ  カブトムシの成虫
２５  堆肥
【図１】
0003208272.tif 000003
【図２】
0003208272.tif 000004
【図３】
0003208272.tif 000005
【図４】
0003208272.tif 000006
【図５】
0003208272.tif 000007
【図６】
0003208272.tif 000008
【図７】
0003208272.tif 000009
【図８】
0003208272.tif 000010
【図９】
0003208272.tif 000011
【図１０】
0003208272.tif 000012
【図１１】
0003208272.tif 000013
【図１２】
0003208272.tif 000014